(57)【特許請求の範囲】
【請求項１】
成形型本体に、球面の一部が成形面となる球を球型として設けた成形型における球型の固定方法において、成形された光学素子を球型より離型する時に、球型を吸引することにより成形型本体上に保持することを特徴とする成形型における球型の固定方法。
【請求項２】
成形型本体に、球面の一部が成形面となる球を球型として設けた成形型において、少なくとも光学素子に転写される面が鏡面加工された球からなる球型を有し、前記球型を収容するように凹形状の受け部と成形された光学素子を球型より離型する時に球型を吸引して成形型本体に保持する吸入部とを成形型本体に有することを特徴とする成形型。
【発明の詳細な説明】
【０００１】
【発明の属する技術分野】
本発明は、ガラス光学素子の押圧成形に使用される成形型における球型の固定方法及び成形型に関する。
【０００２】
【従来の技術】
近年、加熱軟化したガラスを一対の成形型にて押圧成形し、ガラス光学素子を得る方法が広く知られている。
【０００３】
前記ガラス光学素子のうち球欠部を光学機能面としてもつガラス光学素子を成形する成形型は、その成形面が成形型の成形機能面（光学機能面を成形する面をいう）である凸面部と前記凸面部から続く平面部とから構成される。一方、半球に近い凸形状の成形機能面をもつ成形型は、凸面部と平面部との接続部分付近を成形型製作時に研磨加工することが難しく、成形後に得られる光学素子は、球欠部全面を光学機能面として使用することができなかった。この点に鑑み、成形型の凸形状の成形機能面全面と平面部との接続部分まで良好に得られる成形型として、実開昭６３−９４９２９号公報の技術が提案されている。前記公報に記載の成形型５１は、図５に例示するように、成形型本体５２に、その成形型本体５２の中心軸線上に球心が位置しかつ球面の一部が成形面となる球５３を球型５４として配置するとともに、この球型５４を球型外部から成形型本体５２側にホルダー５５により押圧して固定する構成である。前記構成の成形型５１においては、球５３全面の鏡面加工及びホルダー５５の平面部５６の鏡面加工がそれぞれ個別に容易に実施でき、またこのような球型５４をホルダー５５により成形型本体５２に固定しているので、得られるガラス光学素子は凸面部と平面部５６との接続部分が良好に成形でき、ガラス光学素子の取り出し時に球型５４とガラス光学素子との間にオプチカルコンタクトが生じていても、球型５４がガラス光学素子と共に成形型本体５２から離れてしまうことがないので良好に離型ができる。
【０００４】
【発明が解決しようとする課題】
しかしながら、前記公報に記載する構成にあっては、球型を球型外部からホルダーにより固定しようとすると、ホルダー５５と球型５４とが接触する稜線部５７では球型に円周状にキズが入ってしまい、再度球型として使用する場合に球面研磨加工を実施する必要が有った。
また、ホルダーを用いる球型の固定方法では、ホルダーにより球型を押圧する領域の確保のために、球型の成形機能面として半球面まで使用することができなかった。
【０００５】
本発明は、前記不具合に鑑みてなされたものであり、球型にキズを入れることがなく、かつ球型の成形機能面として半球面まで使用することが可能な球型の固定方法及び成形型を提供することを目的とする。
【０００６】
【課題を解決するための手段】
本発明の請求項１の成形型における球型の固定方法は、成形型本体に、球面の一部が成形面となる球を球型として設けた成形型における球型の固定方法において、成形された光学素子を球型より離型する時に、球型を吸引することにより成形型本体上に保持することを特徴とする。
【０００７】
また本発明の請求項２の成形型は、成形型本体に、球面の一部が成形面となる球を球型として設けた成形型において、少なくとも光学素子に転写される面が鏡面加工された球からなる球型を有し、前記球型を収容するように凹形状の受け部と成形された光学素子を球型より離型する時に球型を吸引して成形型本体に保持する吸入部とを成形型本体に有することを特徴とする。
前記成形型本体の受け部は、前記球型と同じ曲率半径にて凹形状に鏡面加工されていることが望ましい。
前記請求項１または請求項２の構成によれば、球型を成形型本体上に吸引して保持することにより、球型である球の成形機能面をホルダーなどで押圧し固定する必要がなくなり、よって球型の表面にキズを入れることがない。また、球型から成形されたガラスの取出しが可能な半球面までを、球型の成形機能面として用いることができるようになる。
【０００８】
【発明の実施の形態】
以下、本発明の実施の形態に用いる成形型の概念を図１により説明する。図１において、ボール研磨加工等により全球面を鏡面加工された球１からなる球型２は、この球型２と同じ曲率半径にて凹形状に形成され且つこの凹面が鏡面加工された成形型本体としての受け型３の受け部４に載置される。前記受け型３の受け部４の中心は、受け型３の中心軸線上にある。また前記受け型３には、前記受け部４に載置された球型２を吸引可能にする吸入部５が穿設されている。前記構成の成形型６において、受け型３の受け部４に載置された球型２は、吸入部５を介して減圧することで受け型３上に保持することができる。従って、受け型３の受け部４に載置された球型２の表面にはキズの入る余地がなくなり、球型２のいずれの部分も球型２の成形機能面として再度使用できる。また球型２の成形機能面として半球面まで使用できる。
（発明の実施の形態１）本発明の実施の形態１を図２に基いて説明する。図２はガラス光学素子としてメニスカスレンズを成形する場合に本実施の形態を適用した成形装置の略断面図である。なお、前記図１と同一な構成は同一符号を用いて説明する。図２において、球型２はボール研磨加工により球面の全表面が鏡面加工されたＷＣ（炭化タングステン）製の球１からなっている。本実施の形態においてはＷＣを素材として用いたが、ＳｉＣ，Ａｌ2 Ｏ3 ，ＡｌＮ等のセラミックを用いても良く、また、球型の表面をＰｔ等の膜で被覆して鏡面にしてもよい。前記球型２を載置するための受け型３は、球型２を載置する受け部４が凹形状の凹面を有し、球型２と同じ曲率半径で鏡面加工されている。この凹形状の周囲の平面部７は粗面に形成され、前記メニスカスレンズの光学機能面の周囲の平面部を粗面に成形するようになっている。この受け型３は、基台１０に載置した台１１上に載せられている。受け型３の中央部すなわち受け型３の中心軸線と同軸上には、球型２を吸引可能にする吸入部としての吸入口１２が穿設されており、この吸入口１２には前記台１１に穿設した孔に一端側が固定され且つ他端側が不図示の真空ポンプ等の吸引装置に接続された吸入パイプ１４が挿入されている。前記台１１上には、受け型３等を挿入する円筒上のスリーブ１５と、その外側に配置され前記スリーブ１５よりも長尺で透明な石英ガラスからなる円筒状の石英管１６とが載置されている。前記スリーブ１５内において、前記球型２を載置した受け型３と対向する上方には、メニスカスレンズの光学機能面のうち球型２と受け型３とにより成形される面の反対側の面を成形するための成形型として、上型１８がガラス２０を介して配置される構成となっている。この上型１８はＷＣを素材とし、その成形面は研磨加工により鏡面に加工され、前記ガラス２０の成形時にスリーブ１５内面を摺動可能になっている。前記石英管１６の外側には、スリーブ１５を介して内部の球型２、受け型３、ガラス２０および上型１８を加熱するためのヒーター（例えば赤外線ヒーター）１９が円管状に配置されている。さらにその外側には、ヒーター１９から発せられる赤外線を反射するための反射鏡筒２２が前記基台１０上に配置されており、その内面は赤外線をスリーブ１５の内周面中心軸上に集光できるように曲率が設けられており、また反射効率を上げるために内周面は金めっきが施されている。また反射鏡筒２２の上に蓋状の上ベース２１が載置されており、この上ベース２１には前記上型１８を加圧するためのシリンダーロッド２４を備えたシリンダー２５と、石英管１６内に非酸化性ガスを流入するためのパイプ２６とが固定されている。上ベース２１の下側は前記石英管１６の上端と接する程度に設定されるとともに、石英管１６の内部には、パイプ２６から流入した非酸化性ガスが石英管１６と台１１との隙間および石英管１６と上ベース２１との隙間から流出するようにパージされるようになっている。前記構成からなる成形装置によりメニスカスレンズを成形する場合について述べる。まず上ベース２１を取り外し、受け型３の受け部４の上に球型２を載置してスリーブ１５内に挿入する。そしてガラス２０をスリーブ内１５に��入して球型２上に載置するとともに、上型１８をスリーブ１５内に挿入して成形用組立体２８を形成する。次で上ベース２１を反射鏡筒２２の上に載置し、パイプ２６より非酸化性ガスとして窒素ガスを流入する。ガスによって成形型等の酸化が防止される状態になったとき、ヒーター１９により成形用組立体２８の加熱を開始する。ガラスの粘度が１０13.5ポアズ以下になって流動性が得られたときに、シリンダー２５を作動させシリンダーロッド２４を介してガラス２０を加圧する。次に、シリンダーロッド２４を上昇させ、シリンダーロッド２４を上型１８から離した後、ヒーター１９による加熱を停止して成形されたガラス２０の冷却を開始する。ガラス２０が室温まで冷却された後、前記ガス流入を停止して上ベース２１を取り外す。次に図示を省略した吸引装置１３を作動させ、吸入口１２および吸入パイプ１４内を減圧し、球型２を受け型３に吸引して一体的に保持させる。その後、上型１８をスリーブ１５より取り出し、そして成形が終了したガラス２０をスリーブ１５より取り出す。この取り出しの際には、球型２は受け型３と一体化されているので、ガラス２０のみ取り出すことができる。取り出されたガラス２０の球型による成形機能面は半球であるが、光学素子の球欠部が半球に満たない光学素子の場合は、受け型３の平面部７にて成形された面を研削し所望の深さの球欠部を有するメニスカスレンズにする。本実施の形態によれば、球型を受け型上にホルダー等を用いずに一体的に保持することができるので、球型にキズを入れることがなく半球の光学機能面を有する光学素子を成形することができる。
（発明の実施の形態２）本発明の実施の形態２を図３及び図４に基いて説明する。図３はガラス光学素子としてメニスカスレンズを成形する場合の、実施の形態１とは異なる成形装置の略断面図である。図４は、図３に示す成形装置に係る動作の説明図である。なお、実施の形態１と同一な構成は同一符号を用い、詳細な説明を省略する。図３において、球型２は全表面が鏡面加工された球１である。球型２を載置するための受け型３０は、球型２を載置する受け部３１が凹形状の凹面を有し、球型２と同じ曲率半径で鏡面加工されている。受け型３０は下部側外周にフランジ３２が設けられ、スリーブ１５を載置するようになっている。この受け型３０はスリーブ１５の外側に配置される透明石英ガラスからなる石英管１６とともにベース板３３に載置されており、ベース板３３下側はベローズ３４を介して下方の基台１０に取付けた台３５上に載置されている。受け型３０の中央部すなわち受け型３０の中心軸線と同軸上には、球型２を吸引可能にする吸引口３６が穿設されている。この吸引口３６は、ベース板３３に穿設した孔およびベローズ３４の内部空間を介して、台３５に穿設した孔に溶接されたパイプ３７と連通している。受け型３０の吸引口３６の下側およびベース板３３の孔の上側にはそれぞれリング状の切り欠き部が形成され、該切り欠き部には受け型３０とベース板３３との隙間をシールするためのリング６０がはめ込まれている。なお、パイプ３７には、ベローズ３４内に空気を取り入れるよう制御するための空気弁３８が取付けられている。前記ベローズ３４は、ＳＵＳ板（ステンレス鋼板）を蛇腹状に折り込んだ伸縮自在な部材であり、折り目の谷部に孔３９が穿設されてベローズ３４の内外を連通するようにしている。また、折り目の谷部にはＯリング４０がはめ込まれ、ベローズ３４が伸びた状態では孔３９が開口した状態となっている。なお、ベローズ３４の上部はベース板３３底部と気密的に溶接し、ベローズ３４下部は台３５上部と気密的に溶接している。前記構成からなる成形装置によりメニスカスレンズを成形する場合について述べる。当初は、空気弁３８は閉じられている。まず上ベース２１を取り外し、受け型３０の受け部３１の上に球型２を載置するとともにフランジ３２上にスリーブ１５を載置する。そしてガラス２０を球型２上に載置するとともに上型１８をスリーブ１５内に挿入して成形用組立体２８を形成する。次いで上ベース２１を反射鏡筒２２の上に載置し、パイプ２６より窒素ガスを流入する。ガスによって成形型等の酸化防止がされる状態になったとき、ヒーター２１により成形組立体２８の加熱を開始する。ガラスの粘度が１０13.5ポアズ以下になって流動性が得られたときに、シリンダー２５を作動させ、ガラス２０を加圧する。ガラスの加圧開始直後、シリンダーロッド２４の押圧によりベローズ３４は圧縮され、このとき孔３９からベローズ３４内の空気が排出される。図４はベローズ３４が圧縮された時の状態を示した図であり、ベローズ３４が圧縮されていくとＯリング４０がつぶれ、孔３９がＯリング４０により密閉される。シリンダー２５によりガラス２０にかかる圧力は、加圧開始直後はベローズ３４を圧縮させる力となってガラスから逃げて��くが、ベローズ３４の圧縮が終了した後はガラスにかかる圧力が増加し、そしてガラス２０の成形が行われる。次に、シリンダーロッド２４を上昇させ、シリンダーロッド２４を上型から離した後、ヒーター２１による加熱を停止して成形されたガラス２０の冷却を開始する。ガラス２０が室温まで冷却された後、前記ガスの流入を停止して上ベース２１を反射鏡筒２２から取り外す。次に上型１８をスリーブ１５より取り出し、スリーブ１５を受け型３０のフランジ３２から取り外した後、成形が終了したガラス２０を下側成形型から取り出す。このとき、ベローズ内部は、ベローズ外部よりも減圧状態となっているために、球型２は受け型３０側に吸引され、球型２と受け型３０とは一体化されているので、ガラス２０のみを取り出すことができる。次に、空気弁３８の開操作をし、パイプ３７内部と台３５の孔を介してベローズ３４内部に空気を流入しベローズ内部を増圧する。この増圧によってベローズ３４は成形前の状態に復帰することができる。取り出されたガラス２０の球型による成形機能面は半球であるが、光学素子の球欠部が半球に満たない場合は、受け型３０の平面部４１にて成形された面を研削し所望の深さの球欠部を有するメニスカスレンズにする。本実施の形態によれば、実施の形態１のような真空ポンプ等の設備を用いることなく、球型と受け型とを一体化させることができる。また、ガラスの押圧開始時に、ガラスに徐々に圧力がかかっていくため、肉厚が薄い光学素子を成形する際に割れる事がないという効果も奏することができる。なお、前記各実施の形態では、球型は、成形型本体の中心軸線上にその球心が位置するようにして説明したが、これに限らず、球型を成形型本体の中心軸線上からズレた位置に形成した受け部に載置するようにすると、成形型本体上に複数の球型を配置可能となり、成形される光学素子の一面側に複数の球欠部を有する光学素子を得ることができる。この場合も、各球型は成形型本体に吸入部を介して吸引し保持する。また、前記各実施の形態では、球型を構成する球は全表面が球面であることで説明したが、球には本発明の主旨が達成される範囲で切断面があってもよい。例えば前記切断面が吸入部あるいは吸入口等に対応する個所に形成されている場合や、前記切断面が球面に形成されていても受け型の受け部に球型を吸引して保持できる場合は、本発明の主旨を逸脱しないものである。なお本明細書中には、以下の発明も含まれている。
（１）成形型本体に、球面の一部が成形面となる球を球型として設けた成形型において、全表面が鏡面加工されその一部が光学素子に転写される球からなる球型と、前記球型と同じ曲率の凹形状に鏡面加工され前記球型の一部と係合する受け部を有する成形型本体とを有し、成形型本体は成形された光学素子を球型より離型する時に球型を成形型本体に吸引して保持する吸入部を有することを特徴とする成形型。前記構成の成形型によれば、球型の球面と成形型本体の受け部とがそれぞれ同じ曲率で且つ鏡面で密着することになるから、光学素子を球型より離型する時の球型と成形型本体との密着力が大きく作用するとともに球型の表面に特にキズが入りにくくなる。
（２）一対の成形型により加熱軟化されたガラスを押圧してレンズを成形する成形型において、少なくとも下側成形型は、成形型本体と、この成形型本体に載置されて球面の一部がレンズの球欠部を成形する球からなる球型からなり、前記成形型本体の前記球型を載置する面と前記球型の全表面とが同じ曲率で且つ鏡面加工されるとともに、下側成形型は前記成形されたレンズを球型から離型する時に球型を成形型本体に吸引して保持する吸入部を有することを特徴とする成形型。前記構成の成形型によれば、成形型本体の中心軸線上に球型を載置することにとらわれないから、複数の球型を成形型本体上に載置することができ、レンズの一方の面に複数の球欠部を有するレンズを成形できる。
【０００９】
【発明の効果】
本発明の請求項１および２によれば、球型を球型外部から押圧して固定するホルダーのような固定部材を用いていないので、球型にキズが入ることがなく、したがって球型の型寿命を大幅にのばすことができる。また、成形機能面として半球面まで使用できる。
【図面の簡単な説明】
【図１】本発明の実施の形態の概念を説明するための図である。
【図２】実施の形態１を説明するための成形装置の略断面図である。
【図３】実施の形態２を説明するための成形装置の略断面図である。
【図４】実施の形態２に係る成形装置に係る動作の説明図である。
【図５】従来の成形型における球型の固定方法の説明図である。
【符号の説明】
１  真球
２  球型
３  受け型( 成形型本体)
４  受け部
５  吸入部
６  成形型
７  平面部
１２  吸入口
１３  吸引装置
１５  スリーブ
１６  石英管
１８  上型
１９  ヒーター
２０  ガラス
２５  シリンダー
３０  受け型
３４  ベローズ
３８  空気弁
４０  Ｏリング
【図１】
0003894643.tif 000002
【図２】
0003894643.tif 000003
【図３】
0003894643.tif 000004
【図４】
0003894643.tif 000005
【図５】
0003894643.tif 000006